(57)【特許請求の範囲】
【請求項１】
天板を、水平状態と垂直状態とにおいて保持しうるようにして、脚柱の上端部に枢着した折り畳みテーブルにおいて、
前記天板を、脚柱に枢着した基板と、天板を垂直状態としたときの前記基板の上端部に蝶番をもって蝶着され、基板と重合する折り畳み位置と基板の上方にはね上げられて、基板とほぼ１８０°の角度をなす展開位置とに回動可能とした補助天板とにより形成し、かつ前記蝶番を、補助天板を展開位置まで展開したとき、補助天板及び基板に対してほぼ直角をなす起立位置まで起立して、補助天板の折り畳み位置方向への回動を阻止し、かつ前記補助天板及び基板とほぼ平行となる倒伏位置まで倒伏させることにより、補助天板の折り畳み位置方向への回動を許容する１対の起倒片を備えるものとしたことを特徴とするパネル兼用折り畳みテーブル。
【請求項２】
天板を、水平状態と垂直状態とにおいて保持しうるようにして、脚柱の上端部に枢着した折り畳みテーブルにおいて、
前記天板における脚柱に枢着した基板に、垂直状態で上方に展開させうるようにした補助天板を設けるとともに、天板を水平状態としたときの前記基板の上面に、電気配線類の差込部または操作部を設け、かつそれに対向する補助天板の部分に通孔を設けたことを特徴とするパネル兼用折り畳みテーブル。
【請求項３】
補助天板を、折り畳み位置とした状態で基板に係止する係止手段を設けた請求項１または２記載のパネル兼用折り畳みテーブル。
【発明の詳細な説明】
【０００１】
【発明の属する技術分野】
本発明は、天板がほぼ垂直となる折り畳み状態で、展示物の展示手段や間仕切となるパネルとして使用可能とした折り畳みテーブルに関する。
【０００２】
【従来の技術】
従来、脚柱上部の水平軸回りに回動可能な天板と、この天板を水平状態と垂直状態とで係止しうる係止装置とを備えた折り畳みテーブルは公知であり、実際に、この種の折り畳みテーブルは、不使用時に天板を垂直状態として、多数のものを前後方向に重ねて格納できるので、多用されている。また、展示物、掲示物等を止め付けるための自立型のパネルや間仕切も公知である。
【０００３】
【発明が解決しようとする課題】
例えば、学校や会議室等において、上述のようなテーブルと自立型のパネルとの両方を、設けておくことは望ましいことではあるが、費用もかかり、かつ不使用時の保管場所の問題も生じる。また、学校等においては、展示物用のパネルや間仕切等は、学校行事として催される展示会場等においては必要であるが、普段はほとんど使用しないことが多い。
【０００４】
本発明は、上述の問題点に鑑み、常時は、折り畳みテーブルとして使用でき、必要に応じて、展示物用のパネル等としても使用できるようにした、パネル兼用折り畳みテーブルを提供することを目的としている。
【０００５】
【課題を解決するための手段】
本発明によると、上記課題は、次のようにして解決される。
(１) 天板を、水平状態と垂直状態とにおいて保持しうるようにして、脚柱の上端部に枢着した折り畳みテーブルにおいて、前記天板を、脚柱に枢着した基板と、天板を垂直状態としたときの前記基板の上端部に蝶番をもって蝶着され、基板と重合する折り畳み位置と基板の上方にはね上げられて、基板とほぼ１８０°の角度をなす展開位置とに回動可能とした補助天板とにより形成し、かつ前記蝶番を、補助天板を展開位置まで展開したとき、補助天板及び基板に対してほぼ直角をなす起立位置まで起立して、補助天板の折り畳み位置方向への回動を阻止し、かつ前記補助天板及び基板とほぼ平行となる倒伏位置まで倒伏させることにより、補助天板の折り畳み位置方向への回動を許容する１対の起倒片を備えるものとする。
【０００６】
(２) 天板を、水平状態と垂直状態とにおいて保持しうるようにして、脚柱の上端部に枢着した折り畳みテーブルにおいて、前記天板における脚柱に枢着した基板に、垂直状態で上方に展開させうるようにした補助天板を設けるとともに、天板を水平状態としたときの前記基板の上面に、電気配線類の差込部または操作部を設け、かつそれに対向する補助天板の部分に通孔を設ける。
【０００７】
(３) 上記(１)または(２)項において、補助天板を、折り畳み位置とした状態で基板に係止する係止手段を設ける。
【０００８】
【発明の実施の形態】
図面は、本発明のパネル兼用折り畳みテーブルの一実施形態を示す。
図１に示すように、このテーブルは、天板(１)と、これを支持する脚部(２)とからなっている。
【０００９】
脚部(２)は、下面にキャスター(３)を取り付けた脚(４)の上面中央に立設した左右１対の脚柱(５)を備えている。左右１対の脚柱(５)の中間部は、連結杆(６)により互いに連結されている。
【００１０】
各脚柱(５)の上端部には、係止装置(７)が設けられている。
係止装置(７)は、脚柱(５)上端部に左右方向を向く水平軸(９)（図２及び図３も参照）をもって回動可能に枢着された枠部材(８)に取り付けられた天板(１)を、図１に示す水平状態と図２に示す垂直状態とにおいて係止する装置であって、その構造は公知であり、かつ本発明に直接関係しないので、その詳細な説明は省略する。
【００１１】
天板(１)は、枠部材(８)に固着された基板(1a)と、その基板(1a)と同形、同寸の補助天板(1b)とからなり、図２に示すように、補助天板(1b)は天板(１)を垂直状態としたときの基板(1a)の上端に、蝶番(10)をもって蝶着され、基板(1a)と重合する折り畳み位置(図２)と、図３及び図４に示すように、基板(1a)の上方にはね上げられて、基板(1a)とほぼ１８０°の角度をなす展開位置とに回動可能である。
【００１２】
蝶番(10)は、商品名「オートマチックヒンジ」として知られている公知のもので、図４に示すように上下に２個ずつ配設した４片の板片(10a)(10b)(10c)(10d)を、左右方向及び上下方向を向く枢軸（図示略）をもって、十文字状に互いに枢着するとともに、各枢軸に巻回したコイルばね(11)の各端末を隣接する板片(10a)(10b)(10c)(10d)に係止することにより、隣接する板片(10a)(10b)(10c)(10d)同士が互いに閉じる方向に付勢されるようにしている。
【００１３】
蝶番(10)における板片(10b)は、図２〜図４に示すように、垂直状態としたときの基板(1a)の上端部に取付片として、また板片(10a)は、補助天板(1b)に取付片として、それぞれ止めねじ(図示略)をもって固着されている。
【００１４】
起立片となる板片(10c)(10d)は、補助天板(1b)及び基板(1a)に対しては直接は固定されておらず、図４に示すように、補助天板(1b)を展開位置まで開いたとき、すなわち、両板片(10a)(10b)を１８０°の角度まで開いたとき、上下方向に並ぶ２個のコイルばね(11)の付勢力により、板片(10a)(10b)に対してほぼ直角をなす起立位置まで起立して、補助天板(1b)の折り畳み位置方向への回動を阻止し、かつ上記のコイルばね(11)の付勢力に抗して、板片(10a)(10b)と同一面となる倒伏位置まで倒伏させると、左右方向を向く枢軸を中心として回動可能となり、補助天板(1b)の折り畳み位置方向への回動を許容するようになっている。
【００１５】
図１において、符号(12)は、基板(1a)と補助天板(1b)とを、重合した状態で係止する係止装置である。これは、図５に詳細に示すように、ローレト付きの頭部(13a)を有する止めねじ(13)を、基板(1a)の角隅部に穿設した孔(14)を通して、補助天板(1b)の角隅部に埋設した埋め込みナット(15)に螺合させるようにしたものである。(16)は、止めねじ(13)が基板(1a)から脱落しないようにするための抜け止めリングである。
【００１６】
同様な係止装置(12)が、天板(１)の反対側の端部にも設けられている。
【００１７】
天板(１)の基板(1a)には、電気配線類の差込部またはスイッチ等の操作部等を設けた情報コンセント(17)が取り付けられている。情報コンセント(17)は、水平状態としたときの基板(1a)の上面から突出して設けられており、それに対向する補助天板(1b)の部分には、通孔(18)が穿設されている。
【００１８】
したがって、図１に示すように、天板(１)を水平状態で使用するときは、情報コンセント(17)は、通孔(18)を通して、天板(１)の上面に露呈し、また、図４に示すように、天板(１)を垂直状態とし、かつ補助天板(1b)を上方に展開したときは、補助天板(1b)と基板(1a)との背面により形成される展示面の下部に露呈する。
【００１９】
本発明のテーブルは、上述の構成であるので、基板(1a)と補助天板(1b)とを重ねて、天板(１)を水平とした状態（図１）では、通常のテーブルとして使用できる。天板(１)を垂直とした状態（図２）では、格納するのに便利であり、垂直の姿勢で補助天板(1b)を伸長させた状態（図３及び図４）では、間仕切または衝立として、また、展示物、掲示物の貼り付け用のパネル（特に図４）として使用することができる。
【００２０】
なお、図３に示すように、必要に応じて、補助天板(1b)にフック(19)等を取り付ければ、物品の吊り下げに便利である。
【００２１】
【発明の効果】
請求項１記載の発明によれば、折り畳みテーブルを、展示用または掲示用の移動パネル、間仕切、衝立等としても使用することができ、これら什器を別途購入する必要がなく、備品点数の削減を図ることができるとともに、保管スペース上も有利とすることができる。
【００２２】
また、補助天板を基板に対して回動させるだけで、簡単に天板を展開させて、広い展示面等を形成することができ、また、展示面が内側となるように補助天板を折り畳むことにより、テーブルとしての使用時または収納時に、展示面が傷付けられるのを防止することができる。
【００２３】
さらに、補助天板を展開位置まで開いたとき、蝶番の起立片が起立して、補助天板の折り畳み方向への回動が阻止され、また起立片を倒伏させることにより、補助天板を折り畳むことができるので、補助天板の開閉操作を楽に行なうことができる。
【００２４】
請求項２記載の発明によれば、折り畳みテーブルを、展示用または掲示用の移動パネル、間仕切、衝立等としても使用することができ、これら什器を別途購入する必要がなく、備品点数の削減を図ることができるとともに、保管スペース上も有利とすることができる。
また、補助天板を折り畳んでテーブルとして使用する場合と、補助天板を展開して展示用パネル等として使用する場合の両方において、電気配線類の差込部や操作部を支障なく使用することができ、各種ＯＡ機器の使用に便利である。
【００２５】
請求項３記載の発明によれば、テーブルとしての使用中に補助天板がばたつくおそれがなくなる。
【図面の簡単な説明】
【図１】  本発明の一実施形態における天板を水平としたときの後斜め下方から見た斜視図である。
【図２】  同じく、天板を垂直としたときの前斜め上方から見た斜視図である。
【図３】  同じく、図２に示す状態から天板の補助天板を上方に展開したときの前斜め上方から見た斜視図である。
【図４】  図３の状態の後斜め上方から見た斜視図である。
【図５】  図１の状態の要部の拡大分解斜視図である。
【符号の説明】
(１)天板
(1a)基板
(1b)補助天板
(２)脚部
(３)キャスター
(４)脚
(５)脚柱
(６)連結杆
(７)係止装置
(８)枠部材
(９)水平軸
(10)蝶番
(10a)(10b)板片(取付片)
(10c)(10d)板片(起倒片)
(11)コイルばね
(12)係止装置
(13)止めねじ
(13a)頭部
(14)孔
(15)埋め込みナット
(16)埋め込みリング
(17)情報コンセント（電気配線類の差込部または操作部）
(18)通孔
(19)フック
【図１】
0004234241.tif 000002
【図２】
0004234241.tif 000003
【図３】
0004234241.tif 000004
【図４】
0004234241.tif 000005
【図５】
0004234241.tif 000006